(57)【要約】【課題】種々の機種の電気掃除機の集塵部に容易に装着しうる電気掃除機用集塵袋を提供すること。【解決手段】開口部１１を有する袋本体１０と導入口２１を有する口紙２０とを、前記開口部１１と前記導入口２１とが導通するように接着してなる電気掃除機用集塵袋であって、前記口紙２０が、電気掃除機の集塵室への挿入方向Ｄと直交する横方向の幅を調節する手段を、前記横方向の両側に有することを特徴とする電気掃除機用集塵袋。【選択図】　図１
2004041661.tif 000002
【特許請求の範囲】
【請求項１】
開口部を有する袋本体と導入口を有する口紙とを、前記開口部と前記導入口とが導通するように接着してなる電気掃除機用集塵袋であって、
前記口紙は、電気掃除機の集塵室への挿入方向と直交する横方向の幅を調節する手段を、前記横方向の両側に有することを特徴とする電気掃除機用集塵袋。
【請求項２】
前記横方向の幅を調節する手段によって調節できる幅が、前記口紙の両側で均等であることを特徴とする請求項１記載の電気掃除機用集塵袋。
【請求項３】
前記口紙は、電気掃除機の集塵室への挿入先端部に、凹凸部又は凹凸部を形成する手段が設けられ、且つ、電気掃除機の集塵室への挿入後端部に、挿入方向の長さを調節する手段が設けられていることを特徴とする請求項１又は２に記載の電気掃除機用集塵袋。
【請求項４】
前記横方向の最大幅が、前記挿入先端部に向かって次第に狭くなっていることを特徴とする請求項１乃至３のいずれか１項に記載の電気掃除機用集塵袋。
【請求項５】
前記袋本体の平面形状が矩形状であって、該袋本体の長辺方向と、前記口紙の電気掃除機の集塵室への挿入方向とが一致するように、前記袋本体と前記口紙とが接着されていることを特徴とする請求項１乃至４のいずれか１項に記載の電気掃除機用集塵袋。
【請求項６】
前記袋本体が、前記口紙の前記挿入後端部の前記導入口側と、前記挿入先端部の前記導入口側とで、各々折り曲げられていることを特徴とする請求項１乃至５のいずれか１項に記載の電気掃除機用集塵袋。
【発明の詳細な説明】
【０００１】
【発明の属する技術分野】
本発明は、電気掃除機用集塵袋に関する。さらに詳しくは、本発明は、種々の機種の電気掃除機の集塵部に装着可能な電気掃除機用集塵袋に関する。
【０００２】
【従来の技術】
電気掃除機用集塵袋としては、開口部を有する袋本体と導入口を有する口紙とを、これら導入口と開口部とを略同一の位置になるように接着してなるものが一般的である。
電気掃除機用集塵袋は、電気掃除機の集塵部に装着して使用されるが、集塵部の形状が統一されていないので、メーカーや機種毎に異なったタイプの集塵袋が使用されている。そして、従来より、電気掃除機用集塵袋の口紙の形状を工夫することにより、種々の機種の電気掃除機の集塵部に適合可能とした共用型の電気掃除機用集塵袋が提案されている。例えば、特開平７−２６５２３４号公報や、実公平６−２５２５１号公報には、口紙に、高さ調節のためのミシン目、及び、取付孔又は取付孔を形成するためのミシン目等が形成された電気掃除機用集塵袋が記載されている。
図１２に、市販されている共用型の電気掃除機用集塵袋の一例を示す。この集塵袋の口紙１１０には、高さ調節のためのミシン目１１１ａ，１１１ｂ、取付孔１１３、凹部１１４、凹部を形成するためのミシン目１１５，１１６等が形成されている。そして、高さ調節のためのミシン目１１１ａ，１１１ｂを適宜切り取り、所定の方向で挿入することにより、種々の機種の電気掃除機の集塵部の大きさに適合できるようになっている。
【０００３】
【発明が解決しようとする課題】
しかしながら、上記従来の電気掃除機用集塵袋では、交換の都度、どの箇所を切り取るかを確認しなければならない。また、どこを挿入先端として、どの方向で装着するかについても確認しなければならない。したがって、交換作業が煩わしく、間違いが生じやすいという問題がある。
また、集塵袋を集塵部に装着する際又は集塵部から取り出す際に集塵袋本体が集塵部にひっかかったり、挿入した後、口紙をセットするときに口紙の先端部と集塵部とのあいだに集塵袋本体がはさまってしまい、集塵時にうまく開かないことがある等の問題もある。
【０００４】
本発明は、上記問題点に鑑みてなされたもので、種々の機種の電気掃除機の集塵部に、一定の方向で容易に装着可能な電気掃除機用集塵袋を提供することを課題とする。
【０００５】
【課題を解決するための手段】
本発明は、開口部を有する袋本体と導入口を有する口紙とを、前記開口部と前記導入口とが導通するように接着してなる電気掃除機用集塵袋であって、前記口紙は、電気掃除機の集塵室への挿入方向と直交する横方向の幅を調節する手段を、前記横方向の両側に有することを特徴とする。
本発明において、前記横方向の幅を調節する手段によって調節できる幅が、前記口紙の両側で均等であることが好ましい。
前記口紙は、電気掃除機の集塵室への挿入先端部に、凹凸部又は凹凸部を形成する手段が設けられ、且つ、電気掃除機の集塵室への挿入後端部に、挿入方向の長さを調節する手段が設けられていることが好ましい。
また、前記横方向の最大幅が、前記挿入先端部に向かって次第に狭くなっていることが好ましい。
さらに、前記袋本体の平面形状が矩形状であって、該袋本体の長辺方向と、前記口紙の電気掃除機の集塵室への挿入方向とが一致するように、前記袋本体と前記口紙とが接着されていることが好ましい。
また、前記袋本体が、前記口紙の前記挿入後端部の前記導入口側と、前記挿入先端部の前記導入口側とで、各々折り曲げられていることが好ましい。
【０００６】
【発明の実施の形態】
以下、本発明の実施形態を図面を参照して説明するが、本発明は以下の実施形態に限定されるものではない。
図１は、本発明の第１実施形態に係る電気掃除機用集塵袋の一例であり、開口部１１を有する袋本体１０と、導入口２１を有する口紙２０とが、前記開口部１１と前記導入口２１とが導通するように接着されている。
本実施態様において、袋本体１０の平面形状は矩形状であり、そのサイズは、およそ１１０〜１２０ｃｍ×２２０〜２５０ｃｍ、例えば１１５ｃｍ×２３８ｃｍである。
袋本体１０の長辺方向の両端部には、両端部を封止するための折り曲げ部１５ａ、１５ｂが形成されている。
【０００７】
袋本体１０は、集塵された塵埃を収集し、さらにたとえばダニなどの害虫をも捕獲することができるものである。
その素材としてはたとえばパルプ、天然または合成繊維、天然または合成樹脂、ゴム、金属などの材料を紙、フィルム、織布、不織布、シート、プレート、ピースまたは棒状体などの素材に加工した濾材を単独または積層したものが用いられる。
袋本体１０は、１枚の袋体で形成されていてもよく、また２枚以上の複数の層を有する袋体で形成されていてもよい。
２枚以上の複数の層を有する袋体である場合、集塵袋本体の内側にある袋体（以下、内袋という）に大きな塵埃を除去しうる孔を有する袋体を用い、集塵袋本体の外側にある袋体（以下、外袋という）に微細な塵埃を除去しうる孔を有する袋体であるのが、集塵袋本体の目詰まりを防ぐうえで好ましい。
また、袋本体１０には、捕獲された害虫を防除するための活性物質を固定化してもよく、また袋本体１０内に前記活性物質を固定化したマットまたはシートを設けてもよい。
【０００８】
口紙２０の材料としては、電気掃除機の集塵部に取付可能とするために、ある程度の強度を有する素材が用いられる。例えば、パルプ、天然または合成繊維、天然または合成樹脂、ゴム、金属などの材料を、紙、フィルム、織布、不織布、シートまたはプレートなどの素材に加工し、これら素材を単独または積層したものが用いられる。
【０００９】
本実施形態に係る電気掃除機用集塵袋を電気掃除機の集塵室に挿入する場合は、常に、挿入方向Ｄに従って挿入するようになっている。
【００１０】
図２に示すように、口紙２０の外周は、ポイントＰ１〜Ｐ２の挿入先端部３１と、ポイントＰ３〜Ｐ４に段差をつけて形成された挿入後端部３２と、挿入先端部３１と挿入後端部３２の各々の左端側を結ぶ、ポイントＰ１〜Ｐ３に形成された左端部３３と、挿入先端部３１と挿入後端部３２の各々の右端側を結ぶ、ポイントＰ２〜Ｐ４に形成された左端部３４とから構成されている。
【００１１】
挿入先端部３１には、凹凸部を形成する手段であるミシン目４１，４２が設けられている。ミシン目４１，４２を切り取ることにより、挿入先端部３１に凹凸部が形成されるようになっている。また、ミシン目４２は、口紙２０の挿入方向の長さを調製する手段としての機能も有しており、ミシン目４２を切り取ることにより又は切り取らないことにより、上下方向の長さを２段階で調節できるようになっている。
挿入後端部３２には、口紙２０の挿入方向の長さを調製する手段であるミシン目５１，５２，５３，５４が設けられている。このうち、ミシン目５１は、挿入方向Ｄに直交する直線状である。ミシン目５２は、ミシン目５１よりも導入口２１側に設けられており、その中央部分５２ａが凹状であり、その左右部分５２ｂ，５２ｃがミシン目５１と平行な直線状である。また、ミシン目５３は、ミシン目５１と平行な直線状の上部平坦部５３ａと、上部平坦部５３ａよりも導入口２１側に、Ｐ３から上部平坦部５３ａと平行に設けられた下部平坦部５３ｂと、上部平坦部５３ａと下部平坦部５３ｂとを鈍角でつなぐ斜部５３ｃとから構成されている。また、ミシン目５４は、ミシン目５１と平行な直線状の上部平坦部５４ａと、上部平坦部５４ａよりも導入口２１側に、ポイントＰ４から上部平坦部５４ａと平行に設けられた下部平坦部５４ｂと、上部平坦部５４ａと下部平坦部５４ｂとを鈍角でつなぐ斜部５４ｃとから構成されている。
ミシン目５１，５２，５３，５４を切り取ることにより、又はいずれのミシン目も切り取らないことにより、上下方向の長さを４段階で調節できるようになっている。
【００１２】
左端部３３は、ポイントＰ１から挿入方向Ｄと平行に設けられた前部平坦部３３ａと、ポイントＰ３から挿入方向Ｄと平行に設けられた後部平坦部３３ｅと、ポイントＰ１とポイントＰ３とを結んだ直線よりも導入口２１と反対側に挿入方向Ｄと平行に設けられた突出平坦部３３ｃと、突出平坦部３３ｃと前部平坦部３３ａとを鈍角でつなぐ辺３３ｂと、突出平坦部３３ｃと後部平坦部３３ｅとをつなぐ辺３３ｄとから構成されている。
左端部３３には、横方向の幅を調節する手段であるミシン目６１が設けられている。ミシン目６１は、ポイントＰ１とポイントＰ３とを結んだ直線よりも導入口２１側に挿入方向Ｄと平行に設けられた平坦部６１ｂと、平坦部６１ｂと前部平坦部３３ａとを鈍角でつなぐ斜部６１ａと、平坦部６１ｂと後部平坦部３３ｅとを鈍角でつなぐ斜部６１ｃとから構成されている。
左端部３３には、さらに、凹部を形成する手段であるミシン目６２が設けられている。ミシン目６２を切り取ることにより、細幅の切り込み状の凹部が形成される。
【００１３】
右端部３４は、Ｐ２から挿入方向Ｄと平行に設けられた前部平坦部３４ａと、ポイントＰ４から挿入方向Ｄと平行に設けられた後部平坦部３３ｅと、Ｐ２とＰ４とを結んだ直線よりも導入口２１と反対側に挿入方向Ｄと平行に設けられた突出平坦部３４ｃと、突出平坦部３４ｃと前部平坦部３４ａとを鈍角でつなぐ辺３４ｂと、突出平坦部３４ｃと後部平坦部３４ｅとをつなぐ辺３４ｄとから構成されている。
右端部３４には、横方向の幅を調節する手段であるミシン目７１が設けられている。ミシン目７１は、Ｐ２とＰ４とを結んだ直線よりも導入口２１側に挿入方向Ｄと平行に設けられた平坦部７１ｂと、平坦部７１ｂと前部平坦部３４ａとを鈍角でつなぐ斜部７１ａと、平坦部７１ｂと後部平坦部３４ｅとを鈍角でつなぐ斜部７１ｃとから構成されている。
ミシン目６１，７１を切り取ることにより、口紙２０の、電気掃除機の集塵室への挿入方向と直交する横方向の幅（以下、単に横幅という）を、突出平坦部３３ｃと突出平坦部３４ｃとの間の幅から、前部平坦部３３ａと前部平坦部３４ａとの間の幅に変えることができる。
【００１４】
電気掃除機の集塵室への挿入方向と直交する横方向の最大幅、すなわち横幅の最大幅（以下、単に最大幅という）は、左端部３３の辺３３ｂ及び右端部３４の辺３４ｂの位置で、口紙２０の挿入先端部２４に向かって次第に狭くなっている。したがって、挿入方向Ｄがわかりやすくなっている。
なお、本実施形態において、前記口紙２０の前記横方向の幅を調節する手段であるミシン目６１，７１は、前記横方向の両側に均等に設けられており、突出平坦部３３ｃ及び平坦部６１ｂ間の幅と、突出平坦部３４ｃ及び平坦部７１ｂ間の幅とが均等であり、突出平坦部３３ｃ及び突出平坦部３４ｃの挿入方向の長さも均等である。
【００１５】
口紙２０の導入口２１は、導入口内周２１ａによって形成されている。導入口内周２１ａの外側には、導入口２１を拡張する手段である環状のミシン目２１ｂが設けられている。そして、このミシン目２１ｂを切り取るか否かにより、導入口２１の大きさと、必要に応じて位置の微調節ができる。
また、袋本体１０の開口部１１は、開口部内周１１ａによって形成されている。開口部内周１１ａの外側には、開口部１１を拡張する手段である環状のミシン目１１ｂが設けられると共に、開口部内周１１ａとミシン目１１ｂとの間を放射状につなぐ複数のミシン目１１ｃが設けられている。そして、このミシン目１１ｂ、１１ｃを切り取るか否かにより、開口部１１の大きさと、必要に応じて位置の微調節ができるようになっている。ミシン目１１ｂとミシン目２１ｂとは、平面視略同一の箇所になるように設けられている。
【００１６】
本実施形態の電気掃除機用集塵袋では、袋本体１０の長辺方向と、口紙２０の上下方向、すなわち、挿入方向Ｄとが一致するように、袋本体１０と口紙２０とが接着されている。口紙２０は、袋本体１０の左右両側にわずかにはみ出すように接着されているが、袋本体１０の横幅によっては、はみ出していなくてもよく、また、片側だけはみ出すように接着されていてもよい。なお、袋本体１０と口紙２０との接着面２５（図２の斜線部分）は、各ミシン目を避けるように、口紙２０の外周、内周双方から、十分に内側の範囲とされている。
【００１７】
図３は、図２に示す電気掃除機用集塵袋のＡ−Ａの位置における断面図である。図３に示すように、袋本体１０には、袋本体１０の長辺方向に沿って、蛇腹部１７ａ、１７ｂが形成されている。
【００１８】
また、本実施形態の電気掃除機用集塵袋では、袋本体１０は、図４に示すように、口紙２０の挿入先端部３１の導入口２１側の位置１９ａと、挿入後端部３２の導入口２１側の位置１９ｂとで、口紙２０側を外側として、折り曲げることができる。
これにより、電気掃除機用集塵袋を集塵室に装着する際に、袋本体１０が挿入先端部３１と集塵室の部材の間に挟まれて開きにくくなるのを防止できる。
本実施形態の電気掃除機用集塵袋は、この折り曲げられた状態で外袋に収納され、販売に供されることができる。
【００１９】
本実施形態の電気掃除機用集塵袋は、図５に示すように、集塵室内において、袋本体１０を十分に膨らませることができる。
【００２０】
以下、図６〜図１０に基づいて、本発明に係る電気掃除機用集塵袋の別の実施形態を説明する。尚、以下に記載する実施形態において、第１実施形態に対応する構成要素には、同一の符号を付してその詳細な説明を省略する。
【００２１】
図６は、本発明の電気掃除機用集塵袋の第２実施形態である。
本実施形態は、口紙２０の挿入方向Ｄの長さを調節する手段であるミシン目５２と、横幅を調節する手段であるミシン目６１，７１の形状において上記第１実施形態と異なっている。すなわち、ミシン目５２は、全体が直線状になっている。また、ミシン目５２中央部分の導入口２１側には、凹部を形成する手段であるミシン目５５が設けられている。また、ミシン目６１は、斜部６１ａと平坦部６１ｂ、斜部６１ｃと平坦部６１ｂとが各々略直角になるように形成されている。同様に、ミシン目７１は、斜部７１ａと平坦部７１ｂ、斜部７１ｃと平坦部７１ｂとが各々略直角になるように形成されている。尚、本実施形態では、袋本体１０の開口部内周１１ａは、口紙２０の導入口２１ａと平面視略同一の箇所に形成されている。
【００２２】
図７は、本発明の電気掃除機用集塵袋の第３実施形態である。
本実施形態は、口紙２０の挿入後端部３２が段差をつけずに設けられている点において上記第１実施形態と異なっている。すなわち、挿入後端部３２は、ポイントＰ３から挿入方向Ｄと逆方向に延びている左後端部３２ａと、ポイントＰ４から挿入方向Ｄと逆方向に延びている右後端部３２ｂと、左後端部３２ａと右後端部３２ｂとを結ぶ、直線状の中央後端部３２ｃとから構成されている。また、これに対応して、ミシン目５１，５２も、その両端が、左後端部３２ａと右後端部３２ｂとに到達するように形成されている。尚、袋本体１０の開口部１１周辺の構成は、第１実施形態と同一である。
【００２３】
図８は、本発明の電気掃除機用集塵袋の第４実施形態である。
本実施形態は、口紙２０の左端部３３及び右端部３４の形状と、横幅を調節する手段であるミシン目６１，７１の形状と、口紙２０の挿入方向Ｄの長さを調製する手段であるミシン目５２の形状において第３実施形態と異なっている。
すなわち、口紙２０の左端部３３及び右端部３４では、突出平坦部３３ｃ，３４ｃの長さが短くなり、後部平坦部３３ｅ，３４ｅの長さが長くなっている。また、それに対応して、横幅を調節する手段であるミシン目６１，７１は、挿入方向の長さ（平坦部６１ｂ，７１ｂの長さ）が、上記第３実施形態の場合よりも短く、導入口２１の直径とほぼ同じ長さであり、導入口２１のほぼ真横の位置に設けられている。
また、ミシン目６１を構成している斜部６１ａ及び斜部６１ｃは、平坦部６１ｂに対して垂直である。同様に、ミシン目７１を構成している斜部７１ａ及び斜部７１ｃは、平坦部７１ｂに対して垂直である。
さらに、口紙２０の挿入方向Ｄの長さを調製する手段であるミシン目５２は、上記第２実施形態と同様、全体が直線状になっており、また、ミシン目５２中央部分の導入口２１側に、凹部を形成する手段であるミシン目５５が設けられている。
【００２４】
図９は、本発明の電気掃除機用集塵袋の第５実施形態である。
本実施形態は、横幅を調節する手段であるミシン目６１，７１の形状と、口紙２０の挿入方向Ｄの長さを調製する手段であるミシン目５２の形状において第３実施形態と異なっている。
ミシン目６１，７１は、それぞれ、ポイントＰ１〜Ｐ３及びポイントＰ２〜Ｐ４間を結ぶ直線上に設けられており、ミシン目６１，７１を切り取った際には、左端部３３及び右端部３４は平坦となる。
また、挿入方向の長さを調節する手段であるミシン目５３，５４は直線状に設けられている。
【００２５】
図１０は、本発明の電気掃除機用集塵袋の第６実施形態である。
本実施形態は、口紙２０の挿入後端部３２が段差をつけずに設けられている点と、横幅を調節する手段であるミシン目６１，７１の形状とにおいて第２実施形態と異なっている。
挿入後端部３２は、第４実施形態の場合と同様の形状である。
また、ミシン目６１，７１は、それぞれ、ポイントＰ１〜Ｐ３及びポイントＰ２〜Ｐ４間を結ぶ直線上に設けられており、ミシン目６１，７１を切り取った際には、左端部３３及び右端部３４は平坦な形状となる。
【００２６】
図１１は、本発明の電気掃除機用集塵袋の第７実施形態である。
本実施形態は、口紙２０の右端部３４の形状と、挿入後端部３２の形状と、挿入先端部３１のミシン目４２の形状において上記第４実施形態と異なっている。すなわち、口紙２０の右端部３４では、突出平坦部３４ｃの長さが長くなり、後部平坦部３４ｅの長さが短くなっている。また、それに対応して、横幅を調節する手段であるミシン目７１は、挿入方向の長さ（平坦部７１ｂの長さ）が、上記第４実施形態の場合よりも長くなっている。また、挿入後端部３２は、段差をつけて形成されており、それに対応して、ミシン目５１，５２の長さが短くなっている。また、挿入先端部３１のミシン目４２は、両端部分が、横方向にまっすぐに設けられている。尚、袋本体１０の開口部１１周辺の構成は、第１実施形態と同一である。
このように、口紙２０の左端部３３及び右端部３４に設けられた横幅を調節する手段であるミシン目６１及び７１の挿入方向の長さ（平坦部６１ｂ，７１ｂの長さ）は、それぞれ異なっていてもよく、挿入する集塵室の形状に応じて適宜変更可能である。
【００２７】
なお、上記各実施形態において、長さ調節手段、及び凹部や凹凸部の形成手段がミシン目である場合について説明したが、かかる各手段としては、ミシン目の他に、切溝や切り取り位置を示すガイドなどがあげられる。
また、袋本体の蛇腹部を、単一の谷折り部を有するシングルタイプとしたが、ダブルタイプ等、２個以上の谷折り部を有するものとしても良い。
【００２８】
【発明の効果】
以上詳述したように、本発明の電気掃除機用集塵袋は、電気掃除機の集塵室への挿入方向と直交する横方向の幅を調節する手段を前記横方向の両側に有するので、どのような電気掃除機の集塵部に対しても、一定の方向で装着できる。したがって、種々の機種の電気掃除機の集塵部への装着操作が煩わしくなく、簡便である。
本発明の電気掃除機用集塵袋は、さらに、集塵時に充分ふくらませることができるので、塵埃をより多く捕集することができる。
【図面の簡単な説明】
【図１】本発明の第１実施形態に係る電気掃除機用集塵袋の斜視図である。
【図２】本発明の第１実施形態に係る電気掃除機用集塵袋の正面図である。
【図３】図２のＡ−Ａ線における断面図である。
【図４】本発明の第１実施形態に係る電気掃除機用集塵袋を折り畳んだ状態の斜視図である。
【図５】本発明の第１実施形態に係る電気掃除機用集塵袋が膨らんだ状態の斜視図である。
【図６】本発明の第２実施形態に係る電気掃除機用集塵袋の正面図である。
【図７】本発明の第３実施形態に係る電気掃除機用集塵袋の正面図である。
【図８】本発明の第４実施形態に係る電気掃除機用集塵袋の正面図である。
【図９】本発明の第５実施形態に係る電気掃除機用集塵袋の正面図である。
【図１０】本発明の第６実施形態に係る電気掃除機用集塵袋の正面図である。
【図１１】本発明の第７実施形態に係る電気掃除機用集塵袋の正面図である。
【図１２】従来の電気掃除機用集塵袋の一例を示す正面図である。
【符号の説明】
１０…袋本体、１１…開口部、３１…挿入先端部、３２…挿入後端部、２０…口紙、２１…導入口、４１，４２，５１，５２，５３，５４，６１，６２，７１…ミシン目
【図１】
2004041661.tif 000003
【図２】
2004041661.tif 000004
【図３】
2004041661.tif 000005
【図４】
2004041661.tif 000006
【図５】
2004041661.tif 000007
【図６】
2004041661.tif 000008
【図７】
2004041661.tif 000009
【図８】
2004041661.tif 000010
【図９】
2004041661.tif 000011
【図１０】
2004041661.tif 000012
【図１１】
2004041661.tif 000013
【図１２】
2004041661.tif 000014
【手続補正書】
【提出日】平成15年2月10日(2003.2.10)
【手続補正１】
【補正対象書類名】明細書
【補正対象項目名】全文
【補正方法】変更
【補正の内容】
【発明の詳細な説明】
【特許請求の範囲】
【請求項１】開口部を有する袋本体と導入口を有する略方形の口紙とを、開口部と導入口とが導通するように接着してなる電気掃除機用集塵袋であって、
この口紙の外周を４辺に分け、その１辺を挿入先端部とし、他の３つの辺を袋本体への接着側と反対側から見たときの時計回りに、左端部、挿入後端部、右端部とし、
左端部は、挿入先端部の一端からこれに直交して延びる前部平坦部と、前部平坦部の挿入後端部側から斜め外側に延びる斜辺と、斜辺の挿入後端部側から前部平坦部と平行に設けられた突出平坦部とを有し、
右端部は、挿入先端部の一端からこれに直交して延びる前部平坦部と、前部平坦部の挿入後端部側から斜め外側に延びる斜辺と、斜辺の挿入後端部側から前部平坦部と平行に設けられた突出平坦部とを有し、
かつ、左端部の前部平坦部の延長線と左端部の突出平坦部に挟まれる領域を包含する領域を切り取るための左側切取線と、右端部の前部平坦部の延長線と右端部の突出平坦部に挟まれる領域を包含する領域を切り取るための右側切取線とが設けられていることを特徴とする電気掃除機用集塵袋。
【請求項２】さらに、挿入後端部の内側に、左端部側から右端部側に延びる切取線が設けられていることを特徴とする請求項１に記載の電気掃除機用集塵袋。
【請求項３】袋本体の平面形状が矩形状であって、袋本体の長辺方向と、左端部の突出平坦部及び右端部の突出平坦部とが平行となるように、袋本体と口紙とが接着されていることを特徴とする請求項１又は２に記載の電気掃除機用集塵袋。
【請求項４】袋本体が、口紙の挿入後端部の内側に対向する位置と、挿入先端部の内側に対向する位置とで、各々折り曲げられていることを特徴とする請求項３に記載の電気掃除機用集塵袋。
【発明の詳細な説明】
【０００１】
【発明の属する技術分野】
本発明は、電気掃除機用集塵袋に関する。さらに詳しくは、本発明は、種々の機種の電気掃除機の集塵部に装着可能な電気掃除機用集塵袋に関する。
【０００２】
【従来の技術】
電気掃除機用集塵袋としては、開口部を有する袋本体と導入口を有する口紙とを、これら導入口と開口部とを略同一の位置になるように接着してなるものが一般的である。
電気掃除機用集塵袋は、電気掃除機の集塵部に装着して使用されるが、集塵部の形状が統一されていないので、メーカーや機種毎に異なったタイプの集塵袋が使用されている。そして、従来より、電気掃除機用集塵袋の口紙の形状を工夫することにより、種々の機種の電気掃除機の集塵部に適合可能とした共用型の電気掃除機用集塵袋が提案されている。例えば、特開平７−２６５２３４号公報や、実公平６−２５２５１号公報には、口紙に、高さ調節のためのミシン目、及び、取付孔又は取付孔を形成するためのミシン目等が形成された電気掃除機用集塵袋が記載されている。
図１２に、市販されている共用型の電気掃除機用集塵袋の一例を示す。この集塵袋の口紙１１０には、高さ調節のためのミシン目１１１ａ，１１１ｂ、取付孔１１３、凹部１１４、凹部を形成するためのミシン目１１５，１１６等が形成されている。そして、高さ調節のためのミシン目１１１ａ，１１１ｂを適宜切り取り、所定の方向で挿入することにより、種々の機種の電気掃除機の集塵部の大きさに適合できるようになっている。
【０００３】
【発明が解決しようとする課題】
しかしながら、上記従来の電気掃除機用集塵袋では、交換の都度、どの箇所を切り取るかを確認しなければならない。また、どこを挿入先端として、どの方向で装着するかについても確認しなければならない。したがって、交換作業が煩わしく、間違いが生じやすいという問題がある。
また、集塵袋を集塵部に装着する際又は集塵部から取り出す際に集塵袋本体が集塵部にひっかかったり、挿入した後、口紙をセットするときに口紙の先端部と集塵部とのあいだに集塵袋本体がはさまってしまい、集塵時にうまく開かないことがある等の問題もある。
【０００４】
本発明は、上記問題点に鑑みてなされたもので、種々の機種の電気掃除機の集塵部に、一定の方向で容易に装着可能な電気掃除機用集塵袋を提供することを課題とする。
【０００５】
【課題を解決するための手段】
本発明は、開口部を有する袋本体と導入口を有する略方形の口紙とを、開口部と導入口とが導通するように接着してなる電気掃除機用集塵袋であって、
この口紙の外周を４辺に分け、その１辺を挿入先端部とし、他の３つの辺を袋本体への接着側と反対側から見たときの時計回りに、左端部、挿入後端部、右端部とし、左端部は、挿入先端部の一端からこれに直交して延びる前部平坦部と、前部平坦部の挿入後端部側から斜め外側に延びる斜辺と、斜辺の挿入後端部側から前部平坦部と平行に設けられた突出平坦部とを有し、右端部は、挿入先端部の一端からこれに直交して延びる前部平坦部と、前部平坦部の挿入後端部側から斜め外側に延びる斜辺と、斜辺の挿入後端部側から前部平坦部と平行に設けられた突出平坦部とを有し、かつ、左端部の前部平坦部の延長線と左端部の突出平坦部に挟まれる領域を包含する領域を切り取るための左側切取線と、右端部の前部平坦部の延長線と右端部の突出平坦部に挟まれる領域を包含する領域を切り取るための右側切取線とが設けられていることを特徴とする。
本発明において、さらに、挿入後端部の内側に、左端部側から右端部側に延びる切取線が設けられていることが好ましい。
また、袋本体の平面形状が矩形状であって、袋本体の長辺方向と、左端部の突出平坦部及び右端部の突出平坦部とが平行となるように、袋本体と口紙とが接着されていることが好ましい。
この場合、袋本体が、口紙の挿入後端部の内側に対向する位置と、挿入先端部の内側に対向する位置とで、各々折り曲げられていることが好ましい。
【０００６】
【発明の実施の形態】
以下、本発明の実施形態を図面を参照して説明するが、本発明は以下の実施形態に限定されるものではない。
図１は、本発明の第１実施形態に係る電気掃除機用集塵袋の一例であり、開口部１１を有する袋本体１０と、導入口２１を有する口紙２０とが、前記開口部１１と前記導入口２１とが導通するように接着されている。
本実施態様において、袋本体１０の平面形状は矩形状であり、そのサイズは、およそ１１０〜１２０ｍｍ×２２０〜２５０ｍｍ、例えば１１５ｍｍ×２３８ｍｍである。
袋本体１０の長辺方向の両端部には、両端部を封止するための折り曲げ部１５ａ、１５ｂが形成されている。
【０００７】
袋本体１０は、集塵された塵埃を収集し、さらにたとえばダニなどの害虫をも捕獲することができるものである。
その素材としてはたとえばパルプ、天然または合成繊維、天然または合成樹脂、ゴム、金属などの材料を紙、フィルム、織布、不織布、シート、プレート、ピースまたは棒状体などの素材に加工した濾材を単独または積層したものが用いられる。
袋本体１０は、１枚の袋体で形成されていてもよく、また２枚以上の複数の層を有する袋体で形成されていてもよい。
２枚以上の複数の層を有する袋体である場合、集塵袋本体の内側にある袋体（以下、内袋という）に大きな塵埃を除去しうる孔を有する袋体を用い、集塵袋本体の外側にある袋体（以下、外袋という）に微細な塵埃を除去しうる孔を有する袋体であるのが、集塵袋本体の目詰まりを防ぐうえで好ましい。
また、袋本体１０には、捕獲された害虫を防除するための活性物質を固定化してもよく、また袋本体１０内に前記活性物質を固定化したマットまたはシートを設けてもよい。
【０００８】
口紙２０の材料としては、電気掃除機の集塵部に取付可能とするために、ある程度の強度を有する素材が用いられる。例えば、パルプ、天然または合成繊維、天然または合成樹脂、ゴム、金属などの材料を、紙、フィルム、織布、不織布、シートまたはプレートなどの素材に加工し、これら素材を単独または積層したものが用いられる。
【０００９】
本実施形態に係る電気掃除機用集塵袋を電気掃除機の集塵室に挿入する場合は、常に、挿入方向Ｄ（図２における上から下への方向）に従って挿入するようになっている。
【００１０】
図２に示すように、口紙２０の外周は、ポイントＰ１〜Ｐ２間の挿入先端部３１と、ポイントＰ３〜Ｐ４間の段差を有する挿入後端部３２と、挿入先端部３１と挿入後端部３２の各々の図２における左端側であるポイントＰ１〜Ｐ３間の左端部３３と、挿入先端部３１と挿入後端部３２の各々の図２における右端側であるポイントＰ２〜Ｐ４間の右端部３４とから構成されている。
【００１１】
挿入先端部３１の内側には、凹凸部を形成する手段であるミシン目４１，４２が設けられている。ミシン目４１，４２を切り取ることにより、挿入先端部３１側に凹凸部が形成されるようになっている。また、ミシン目４２は、口紙２０の挿入方向Ｄの長さを調製する手段としての機能も有しており、ミシン目４２を切り取ることにより又は切り取らないことにより、挿入方向Ｄの長さを２段階で調節できるようになっている。
挿入後端部３２の内側には、口紙２０の挿入方向Ｄの長さを調製する手段であるミシン目５１，５２，５３，５４が左端部３３側から右端部３４側に延びて設けられている。このうち、ミシン目５１は、挿入方向Ｄに直交する方向、すなわち、図２における横方向に延びる直線状である。ミシン目５２は、ミシン目５１よりも導入口２１側（内側）に設けられており、その中央部分５２ａが凹状であり、その左右部分５２ｂ，５２ｃがミシン目５１と平行な直線状である。また、ミシン目５３は、ミシン目５１と平行な直線状の上部平坦部５３ａと、上部平坦部５３ａよりも導入口２１側に、Ｐ３から上部平坦部５３ａと平行に設けられた下部平坦部５３ｂと、上部平坦部５３ａと下部平坦部５３ｂとを鈍角でつなぐ斜部５３ｃとから構成されている。また、ミシン目５４は、ミシン目５１と平行な直線状の上部平坦部５４ａと、上部平坦部５４ａよりも導入口２１側に、ポイントＰ４から上部平坦部５４ａと平行に設けられた下部平坦部５４ｂと、上部平坦部５４ａと下部平坦部５４ｂとを鈍角でつなぐ斜部５４ｃとから構成されている。
ミシン目５１，５２，５３，５４を切り取ることにより、又はいずれのミシン目も切り取らないことにより、挿入方向Ｄの長さを４段階で調節できるようになっている。
【００１２】
左端部３３は、ポイントＰ１から挿入方向Ｄと平行に設けられた前部平坦部３３ａと、ポイントＰ３から挿入方向Ｄと平行に設けられた後部平坦部３３ｅと、ポイントＰ１とポイントＰ３とを結んだ直線よりも導入口２１と反対側（外側）に挿入方向Ｄと平行に設けられた突出平坦部３３ｃと、突出平坦部３３ｃと前部平坦部３３ａとを鈍角でつなぐ辺３３ｂ（斜辺）と、突出平坦部３３ｃと後部平坦部３３ｅとをつなぐ辺３３ｄとから構成されている。
左端部３３の内側には、図２における横方向の幅を調節する手段であるミシン目６１が設けられている。ミシン目６１は、ポイントＰ１とポイントＰ３とを結んだ直線よりも導入口２１側（内側）に挿入方向Ｄと平行に設けられた平坦部６１ｂと、平坦部６１ｂと前部平坦部３３ａとを鈍角でつなぐ斜部６１ａと、平坦部６１ｂと後部平坦部３３ｅとを鈍角でつなぐ斜部６１ｃとから構成されている。
左端部３３の内側には、さらに、凹部を形成する手段であるミシン目６２が設けられている。ミシン目６２を切り取ることにより、細幅の切り込み状の凹部が形成される。
【００１３】
右端部３４は、Ｐ２から挿入方向Ｄと平行に設けられた前部平坦部３４ａと、ポイントＰ４から挿入方向Ｄと平行に設けられた後部平坦部３３ｅと、Ｐ２とＰ４とを結んだ直線よりも導入口２１と反対側（外側）に挿入方向Ｄと平行に設けられた突出平坦部３４ｃと、突出平坦部３４ｃと前部平坦部３４ａとを鈍角でつなぐ辺３４ｂ（斜辺）と、突出平坦部３４ｃと後部平坦部３４ｅとをつなぐ辺３４ｄとから構成されている。
右端部３４の内側には、図２における横方向の幅を調節する手段であるミシン目７１が設けられている。ミシン目７１は、Ｐ２とＰ４とを結んだ直線よりも導入口２１側（内側）に挿入方向Ｄと平行に設けられた平坦部７１ｂと、平坦部７１ｂと前部平坦部３４ａとを鈍角でつなぐ斜部７１ａと、平坦部７１ｂと後部平坦部３４ｅとを鈍角でつなぐ斜部７１ｃとから構成されている。
ミシン目６１，７１を切り取ることにより、口紙２０の、電気掃除機の集塵室への挿入方向Ｄと直交する方向、すなわち、図２における横方向の幅（以下、単に横幅という）を、突出平坦部３３ｃと突出平坦部３４ｃとの間の幅から、前部平坦部３３ａと前部平坦部３４ａとの間の幅に変えることができる。
【００１４】
ミシン目６１，７１を切り取る前の横幅は、左端部３３の辺３３ｂ及び右端部３４の辺３４ｂの位置で、口紙２０の挿入先端部３１に向かって次第に狭くなっている。したがって、挿入方向Ｄがわかりやすくなっている。
なお、本実施形態において、ミシン目６１，７１は、図面２における横方向の両側に均等に設けられており、突出平坦部３３ｃ及び平坦部６１ｂ間の幅と、突出平坦部３４ｃ及び平坦部７１ｂ間の幅とが均等であり、突出平坦部３３ｃ及び突出平坦部３４ｃの挿入方向の長さも均等である。
【００１５】
口紙２０の導入口２１は、導入口内周２１ａによって形成されている。導入口内周２１ａの外側には、導入口２１を拡張する手段である環状のミシン目２１ｂが設けられている。そして、このミシン目２１ｂを切り取るか否かにより、導入口２１の大きさと、必要に応じて位置の微調節ができる。
また、袋本体１０の開口部１１は、開口部内周１１ａによって形成されている。開口部内周１１ａの外側には、開口部１１を拡張する手段である環状のミシン目１１ｂが設けられると共に、開口部内周１１ａとミシン目１１ｂとの間を放射状につなぐ複数のミシン目１１ｃが設けられている。そして、このミシン目１１ｂ、１１ｃを切り取るか否かにより、開口部１１の大きさと、必要に応じて位置の微調節ができるようになっている。ミシン目１１ｂとミシン目２１ｂとは、平面視略同一の箇所になるように設けられている。
【００１６】
本実施形態の電気掃除機用集塵袋では、袋本体１０の長辺方向と、左端部の突出平坦部及び右端部の突出平坦部の方向とが平行となるように、すなわち、袋本体１０の長辺方向と挿入方向Ｄとが一致するように、袋本体１０と口紙２０とが接着されている。口紙２０は、袋本体１０の左右両側にわずかにはみ出すように接着されているが、袋本体１０の横幅によっては、はみ出していなくてもよく、また、片側だけはみ出すように接着されていてもよい。なお、袋本体１０と口紙２０との接着面２５（図２の斜線部分）は、各ミシン目を避けるように、口紙２０の外周、内周双方から、十分に内側の範囲とされている。
【００１７】
図３は、図２に示す電気掃除機用集塵袋のＡ−Ａの位置における断面図である。図３に示すように、袋本体１０には、袋本体１０の長辺方向に沿って、蛇腹部１７ａ、１７ｂが形成されている。
【００１８】
また、本実施形態の電気掃除機用集塵袋では、袋本体１０は、図４に示すように、口紙２０の挿入先端部３１の導入口２１側（内側）に対向する位置１９ａと、挿入後端部３２の導入口２１側（内側）に対向する位置１９ｂとで、口紙２０側を外側として、折り曲げることができる。
これにより、電気掃除機用集塵袋を集塵室に装着する際に、袋本体１０が挿入先端部３１と集塵室の部材の間に挟まれて開きにくくなるのを防止できる。
本実施形態の電気掃除機用集塵袋は、この折り曲げられた状態で外袋に収納され、販売に供されることができる。
【００１９】
本実施形態の電気掃除機用集塵袋は、図５に示すように、集塵室内において、袋本体１０を十分に膨らませることができる。
【００２０】
以下、図６〜図１０に基づいて、本発明に係る電気掃除機用集塵袋の別の実施形態を説明する。尚、以下に記載する実施形態において、第１実施形態に対応する構成要素には、同一の符号を付してその詳細な説明を省略する。
【００２１】
図６は、本発明の電気掃除機用集塵袋の第２実施形態である。
本実施形態は、口紙２０の挿入方向Ｄの長さを調節する手段であるミシン目５２と、図６における横方向の幅を調節する手段であるミシン目６１，７１の形状において上記第１実施形態と異なっている。すなわち、ミシン目５２は、全体が直線状になっている。また、ミシン目５２中央部分の導入口２１側（内側）には、凹部を形成する手段であるミシン目５５が設けられている。また、ミシン目６１は、斜部６１ａと平坦部６１ｂ、斜部６１ｃと平坦部６１ｂとが各々略直角になるように形成されている。同様に、ミシン目７１は、斜部７１ａと平坦部７１ｂ、斜部７１ｃと平坦部７１ｂとが各々略直角になるように形成されている。尚、本実施形態では、袋本体１０の開口部内周１１ａは、口紙２０の導入口２１ａと平面視略同一の箇所に形成されている。
【００２２】
図７は、本発明の電気掃除機用集塵袋の第３実施形態である。
本実施形態は、口紙２０の挿入後端部３２が段差をつけずに設けられている点において上記第１実施形態と異なっている。すなわち、挿入後端部３２は、ポイントＰ３から図７における上方向に延びている左後端部３２ａと、ポイントＰ４から図７における上方向に延びている右後端部３２ｂと、左後端部３２ａと右後端部３２ｂとを結ぶ、直線状の中央後端部３２ｃとから構成されている。また、これに対応して、ミシン目５１，５２も、その両端が、左後端部３２ａと右後端部３２ｂとに到達するように形成されている。尚、袋本体１０の開口部１１周辺の構成は、第１実施形態と同一である。
【００２３】
図８は、本発明の電気掃除機用集塵袋の第４実施形態である。
本実施形態は、口紙２０の左端部３３及び右端部３４の形状と、図８における横方向の幅を調節する手段であるミシン目６１，７１の形状と、口紙２０の挿入方向Ｄの長さを調製する手段であるミシン目５２の形状において第３実施形態と異なっている。
すなわち、口紙２０の左端部３３及び右端部３４では、突出平坦部３３ｃ，３４ｃの長さが短くなり、後部平坦部３３ｅ，３４ｅの長さが長くなっている。また、それに対応して、図８における横方向の幅を調節する手段であるミシン目６１，７１は、平坦部６１ｂ，７１ｂの長さが、上記第３実施形態の場合よりも短く、導入口２１の直径とほぼ同じ長さであり、導入口２１のほぼ真横の位置に設けられている。
また、ミシン目６１を構成している斜部６１ａ及び斜部６１ｃは、平坦部６１ｂに対して垂直である。同様に、ミシン目７１を構成している斜部７１ａ及び斜部７１ｃは、平坦部７１ｂに対して垂直である。
さらに、口紙２０の挿入方向Ｄの長さを調製する手段であるミシン目５２は、上記第２実施形態と同様、全体が直線状になっており、また、ミシン目５２中央部分の導入口２１側に、凹部を形成する手段であるミシン目５５が設けられている。
【００２４】
図９は、本発明の電気掃除機用集塵袋の第５実施形態である。
本実施形態は、図９における横方向の幅を調節する手段であるミシン目６１，７１の形状と、口紙２０の挿入方向Ｄの長さを調製する手段であるミシン目５２の形状において第３実施形態と異なっている。
ミシン目６１，７１は、それぞれ、ポイントＰ１〜Ｐ３及びポイントＰ２〜Ｐ４間を結ぶ直線上に設けられており、ミシン目６１，７１を切り取った際には、左端部３３及び右端部３４は平坦となる。
また、挿入方向Ｄの長さを調節する手段であるミシン目５３，５４は直線状に設けられている。
【００２５】
図１０は、本発明の電気掃除機用集塵袋の第６実施形態である。
本実施形態は、口紙２０の挿入後端部３２が段差をつけずに設けられている点と、図１０における横方向の幅を調節する手段であるミシン目６１，７１の形状とにおいて第２実施形態と異なっている。
挿入後端部３２は、第４実施形態の場合と同様の形状である。
また、ミシン目６１，７１は、それぞれ、ポイントＰ１〜Ｐ３及びポイントＰ２〜Ｐ４間を結ぶ直線上に設けられており、ミシン目６１，７１を切り取った際には、左端部３３及び右端部３４は平坦な形状となる。
【００２６】
図１１は、本発明の電気掃除機用集塵袋の第７実施形態である。
本実施形態は、口紙２０の右端部３４の形状と、挿入後端部３２の形状と、挿入先端部３１内側のミシン目４２の形状において上記第４実施形態と異なっている。すなわち、口紙２０の右端部３４では、突出平坦部３４ｃの長さが長くなり、後部平坦部３４ｅの長さが短くなっている。また、それに対応して、図１１における横方向の幅を調節する手段であるミシン目７１は、平坦部７１ｂの長さが、上記第４実施形態の場合よりも長くなっている。また、挿入後端部３２は、段差をつけて形成されており、それに対応して、ミシン目５１，５２の長さが短くなっている。また、挿入先端部３１内側のミシン目４２は、両端部分が、図１１における横方向にまっすぐに設けられている。尚、袋本体１０の開口部１１周辺の構成は、第１実施形態と同一である。
このように、ミシン目６１、７１の平坦部６１ｂ，７１ｂの長さは、それぞれ異なっていてもよく、挿入する集塵室の形状に応じて適宜変更可能である。
【００２７】
なお、上記各実施形態において、挿入方向Ｄの長さや横方向の幅を調節する手段、及び凹部や凹凸部の形成手段である切取線がミシン目である場合について説明したが、かかる切取線としては、ミシン目の他に、切溝や切り取り位置を示すガイドなどがあげられる。
また、袋本体の蛇腹部を、単一の谷折り部を有するシングルタイプとしたが、ダブルタイプ等、２個以上の谷折り部を有するものとしても良い。
【００２８】
【発明の効果】
以上詳述したように、本発明の電気掃除機用集塵袋は、その口紙の外周を４辺に分け、その１辺を挿入先端部とし、他の３つの辺を袋本体への接着側と反対側から見たときの時計回りに、左端部、挿入後端部、右端部とし、左端部は、挿入先端部の一端からこれに直交して延びる前部平坦部と、前部平坦部よりも挿入後端部側に設けられた突出平坦部とを有し、この突出平坦部は、前部平坦部よりも外側に膨出して前部平坦部と平行に設けられており、右端部は、挿入先端部の他端からこれに直交して延びる前部平坦部と、前部平坦部よりも挿入後端部側に設けられた突出平坦部とを有し、この突出平坦部は、前部平坦部よりも外側に膨出して前部平坦部と平行に設けられており、かつ、口紙には、挿入先端部と挿入後端部の一端を結ぶ直線に対して、少なくともその外側の部分を切り取るための切取線と、挿入先端部と挿入後端部の他端を結ぶ直線に対して、少なくともその外側の部分を切り取るための切取線とが設けられていることを特徴とするので、どのような電気掃除機の集塵部に対しても、一定の方向で装着できる。したがって、種々の機種の電気掃除機の集塵部への装着操作が煩わしくなく、簡便である。本発明の電気掃除機用集塵袋は、さらに、集塵時に充分ふくらませることができるので、塵埃をより多く捕集することができる。
【図面の簡単な説明】
【図１】本発明の第１実施形態に係る電気掃除機用集塵袋の斜視図である。
【図２】本発明の第１実施形態に係る電気掃除機用集塵袋の正面図である。
【図３】図２のＡ−Ａ線における断面図である。
【図４】本発明の第１実施形態に係る電気掃除機用集塵袋を折り畳んだ状態の斜視図である。
【図５】本発明の第１実施形態に係る電気掃除機用集塵袋が膨らんだ状態の斜視図である。
【図６】本発明の第２実施形態に係る電気掃除機用集塵袋の正面図である。
【図７】本発明の第３実施形態に係る電気掃除機用集塵袋の正面図である。
【図８】本発明の第４実施形態に係る電気掃除機用集塵袋の正面図である。
【図９】本発明の第５実施形態に係る電気掃除機用集塵袋の正面図である。
【図１０】本発明の第６実施形態に係る電気掃除機用集塵袋の正面図である。
【図１１】本発明の第７実施形態に係る電気掃除機用集塵袋の正面図である。
【図１２】従来の電気掃除機用集塵袋の一例を示す正面図である。
【符号の説明】
１０…袋本体、１１…開口部、３１…挿入先端部、３２…挿入後端部、２０…口紙、２１…導入口、４１，４２，５１，５２，５３，５４，６１，６２，７１…ミシン目